(57)【要約】      （修正有）【課題】配布される印刷情報を個人が有効に利用しやすくするために、その情報媒体に有効な形状とスキミング防止の付加機能を与ることにより、印刷情報の入った印刷物を携帯しやすくするとともに、個人の持つ電磁気情報を守るスキミング防止機能付き情報カードを提供する。【解決手段】印刷情報が施される紙あるいは樹脂などのシート材の大きさを紙幣と略同形することにより、日常携帯する財布の中に入れやすくなる。また、そのシート材の一部にアルミ蒸着層あるいはアルミ箔層設けることにより、電磁波（電波）シールド機能を持たせる。これにより、財布の中に携帯するキャッシュカードあるいはクレジットカード等の通称ＩＣカードと呼ばれる電磁気カードの情報を盗みとるスキミング犯罪に対する防止機能を付加価値として提供できる。【選択図】図１
0003123940.tif 000002
【実用新案登録請求の範囲】
【請求項１】
紙シート材あるいは例えばＰＰ（ポリプロピレン）等の樹脂シート材をベースとして、それらにアルミ蒸着あるいはアルミ箔を張り合わせた両面印刷可能な複合シート材を紙幣と略同形に成形したことを特徴とするスキミング防止機能付き情報カード。
【考案の詳細な説明】
【技術分野】
【０００１】  本考案は、財布の中に携帯するスキミング防止機能付き情報カードに関する。
【背景技術】
【０００２】  近年、我々の身の回りには様々の情報が氾濫している。
パソコン、携帯電話などのＩＴ情報、磁気カードの磁気情報、電磁気カード（通称ＩＣカード）の電磁気情報、印刷物の印刷情報等多岐にわたるが、それらの情報をいかに効率良く受け入れてもらうかが重要である。【０００３】  特に印刷物による印刷情報は身近に溢れており、そのほとんどが有効に使用されず無駄になっていることが実情である。例えば金融機関等に置かれているパンフレット、各種チケット、チラシなど使用後は棄てられるだけである。【０００４】  また、電磁気情報として我々は財布の中にキャッシュカード、クレジットカード等のＩＣカードと呼ばれている電磁気カードを持っている。これらは個人情報として秘密事項であり、そのセキュリティが重要になっている。特に通称スキミングと呼ばれるデータ違法取得の犯罪の増加で、自己責任によるセキュリティが重要な時代になった。
【考案の開示】
【考案が解決しようとする課題】
【０００５】  以上に述べたように印刷物による情報は無駄が多く、また電磁気情報にはセキュリティが重要になっている。【０００６】  本考案は、配布される印刷情報を個人が有効に利用しやすくするために、その情報媒体に有効な形状とスキミング防止の付加機能を与ることにより、印刷情報の入った印刷物を携帯しやすくするとともに、個人の持つ電磁気情報を守ることを目的とするものである。
【課題を解決するための手段】
【０００７】  そこで、本考案は上記目的を達成するために、紙シート材あるいは例えばＰＰ（ポリプロピレン）等の樹脂シート材をベースとして、それらにアルミ蒸着、あるいはアルミ泊を張り合わせた両面印刷可能な複合シート材を、紙幣と略同形に成形した。【０００８】  上記課題解決手段の作用は次の通りである。
すなわち、上記複合シート材の両面に情報を印刷することにより配布可能な情報カードとなる。【０００９】  さらに上記複合シート材を、紙幣と略同形に形成することにより、個人の財布の中に入れることができる。そのことにより情報を個人の財布の中に携帯できるようにしている。【００１０】  また、上記複合シート材の一部にアルミ蒸着部を設けるか、アルミ箔部を設けることにより、電磁波シールド効果を得ることができる。【００１１】  これらの機能を持たせる複合シート材を製作するにあたって、特別な素材を開発する必要はなく、市場に流通している複合シート材をそのまま利用すればよい。特に素材の一部にアルミ蒸着部を設けたものあるいはアルミ泊部を設けた複合シート材は種々量販されており、印刷から成形に至る加工ラインは確立されている。【００１２】  またアルミ素材による電磁波シールド効果については、後述のデータを示すまでもなく、実用域の周波数帯で優秀な電磁波（電波）シールド効果を持つことは周知の通りであり、一般的にあらゆる場面での電磁波シールド材として利用されている。
【考案の効果】
【００１３】  上述したように、本考案のスキミング防止機能付き情報カードは、形状を紙幣と同様にすることにより、財布の中に紙幣と共に常時入れることができる。そのことにより発信したい印刷情報を個人に携帯させることができる。【００１４】  また、アルミ素材を一部に使用することにより、電磁波シールド効果を得ることでき、財布の中のキャッシュカードあるいはクレジットカードの電磁気情報を、外部からの不正電磁波（電波）によって読みとられることを防止できる。つまり、近年急増するスキミング被害の防止ができる。
【考案を実施するための最良の形態】
【００１５】  以下、本考案の実施の形態を図１〜図５に基づいて説明する。【００１６】  図１において、１はスキミング防止機能付き情報カード（以下情報カードとする）で、その形状は紙幣と略同形に形成されている。またその表面は印刷可能な表側の印刷面３ととなっており裏面は印刷可能な裏側の印刷面４となっている。そして上記表側及び裏側の印刷面３、４には、表側の印刷５及び裏側の印刷６が情報として印刷されている。【００１７】  図２ａは、上記情報カード１の図１におけるＡ−Ａ線拡大断面図で、アルミ蒸着層あるいはアルミ箔層２ａと、例えばＰＰ（ポリプロピレン）等の樹脂シート２ｂを貼り合わせた複合シート材２から構成されている。【００１８】  図２ｂは、上記情報カードの図１におけるＡ−Ａ線拡大断面図で、アルミ蒸着層あるいはアルミ泊層２ａと、紙シート材２ｃを貼り合わせた複合シート材２から構成されている。【００１９】  図３は上記情報カード１を２つ折りの財布の中に入れる状態を示した斜視図である。【００２０】  ２つ折りの財布７には、紙幣８を入れる紙幣挿入開口部７ａと、キャシュカードあるいクレジットカード等の電磁気カード９（以下電磁気カードとする）を収納するカード収納部７ｂとから形成されている。【００２１】  上記情報カード１は紙幣８と同様に財布７の中に入れる。情報カード１を構成する複合シート材２は紙幣８と同程度の厚みであり、紙幣８と同様に折り曲げに対する柔軟性が十分であり、紙幣８と混在させても邪魔になることはない。【００２２】  図４は、図３で示したように、情報カード１が２つ折りの財布７の中に入った状態を財布の紙幣挿入開口部７ａ側から見た平面図である。【００２３】  紙幣８と混在した情報カード１は、２つ折りにされた財布７の中で電磁気カード９を囲むように配置される。【００２４】  図５は、情報カード１が２つ折りの財布７の中に入った状態で、不正電磁波１０をシールドする状態を示した平面図である。【００２５】  電磁気カード９を取り囲むように情報カード１が配置されているため、不正電磁波１０が電磁気カード９に発せられても、上記情報カード１のアルミ蒸着層あるいはアルミ箔層２ａが電磁波シールドするため、電磁気カード９からの情報のスキミングを防止する。【００２６】  ここで、中周波の電磁波の場合、アルミ等の一般的に知られている金属材料が、電磁波シールド材として非常に有効であるこは周知されている。そして電磁気カード９も流通しているほとんどのものが数Ｈｚ〜数百ＭＨｚの中周波数帯で内部回路を起動し使用するため、上記情報カード１の不正電磁波１０に対するシールド効果は大きい。【００２７】  図６はスキミング防止機能付き情報カード１に使用される複合シート材２の、電界シールド特性及び磁界シールド特性である。【００２８】  図６のとおり、複数の量販されている複合シート材２について電磁波シールド性能の測定を行ったが、上記中周波数帯で平均９９．９％以上の電界減衰率を得た。技術的周知として、９０％以上の電界減衰率があれば電磁波シールド材としては非常に有効である。【００２９】  しかし、静磁界に対する効果はほとんど無く、いわゆる磁気カードについてはシールド効果は期待できない。
【産業上の利用可能性】
【００３０】  上述したように、本考案のスキミング防止機能付き情報カードは、提供したい印刷情報を、受け入れ側に携帯しやすくさせるような形状になっているため無駄に棄てられることを減らすことができる。【００３１】  さらに、このスキミング防止機能付き情報カードにスキミング防止機能という付加価値付けることにより、より受け入れやすくさせることができる。【００３２】  しかも、この情報カードを製作するにあたっては特別な材料、工程など必要無く、市場に流通している量販品を使用できるとともに、その生産加工ラインで安価に製作できる。
【図面の簡単な説明】
【００３３】
【図１】  本考案の実施形態を示すスキミング防止機能付き情報カード
【図２】  （ａ）同スキミング防止機能付き情報カードの図１におけるＡ−Ａ線拡大断面図  （ｂ）同スキミング防止機能付き情報カードの図１における他の素材を使用したもののＡ−Ａ線拡大断面図
【図３】  同スキミング防止機能付き情報カードを２つ折りの財布の中に入れる状態を示した斜視図
【図４】  同スキミング防止機能付き情報カードが２つ折りの財布の中に入った状態を、財布の開口部側から見た平面図
【図５】  同スキミング防止機能付き情報カードが２つ折りの財布の中に入った状態で、不正電磁波をシールドする状態を示した平面図
【図６】  同スキミング防止機能付き情報カードに使用される複合シートの、電界シールド特性及び磁界シールド特性
【符号の説明】
【００３４】  １…スキミング防止機能付き情報カード
２…複合シート材
２ａ…アルミ蒸着層もしくはアルミ泊層
２ｂ…樹脂シート材
２ｃ…紙シート材
３…表側の印刷面
４…裏側の印刷面
５…表側の印刷
６…裏側の印刷
７…２つ折りの財布
７ａ…財布の紙幣挿入開口部
７ｂ…カード収納部
７ｃ…小銭入れ部
８…紙幣
９…キャシュカードあるいはクレジットカード等の電磁気カード
１０…不正電磁波
【図１】
0003123940.tif 000003
【図２】
0003123940.tif 000004
【図３】
0003123940.tif 000005
【図４】
0003123940.tif 000006
【図５】
0003123940.tif 000007
【図６】
0003123940.tif 000008